(57)【要約】【課題】従来の二つ折り式携帯電話は、薄型化によって性能が低下するという問題があった。【解決手段】第１筐体１１０と第２筐体１２０とが、それぞれの前記内側主面が向かい合って閉じられるように接続された二つ折り式携帯電話において、前記固定機構の一時固定によって、前記スピーカの音声信号の指向性のもっとも強い方向と直交する仮想面の内面と、前記アース地板１１５を含む面の内面とのなす開き角が１６５°よりも大きい状態で保持され、前記仮想面は、前記スピーカの音声出力面１２２および情報を表示する表示画面１２１を含む面と実質同一または平行である二つ折り式携帯電話。【選択図】　図１
2004048719.tif 000002
【特許請求の範囲】
【請求項１】
アンテナと、内蔵されたアース地板と、その内側主面に設けられたヒンジブラケットとを有する第１筐体と、
少なくともその端部に渡って設けられた、前記ヒンジブラケットに対応するヒンジアームと、内側主面に設けられた、情報を表示する表示画面と、前記表示画面を挟んで前記ヒンジアームと相対するスピーカの音声出力面とを有する第２筐体と、
前記ヒンジブラケットおよび前記ヒンジアームを一時固定する固定機構とを備え、
前記第１筐体と前記第２筐体とが、それぞれの前記内側主面が向かい合って閉じられるように接続され、
前記固定機構の一時固定によって、前記スピーカの音声信号の指向性のもっとも強い方向と直交する仮想面の内面と、前記アース地板を含む面の内面とのなす開き角が実質上１６５°よりも大きい状態で保持され、
前記仮想面は、前記スピーカの音声出力面および情報を表示する表示画面を含む面と実質同一または平行である二つ折り式携帯電話。
【請求項２】
前記固定機構は、前記第１筐体および／または前記第２筐体に設けられたストッパと、弾性力により前記開き角が一定となるよう保持する弾性保持手段とを備え、
前記弾性保持手段は、前記開き角が、所定の第１の角度に向かう付勢力を与え、
前記ストッパは、前記開き角が、前記第１の角度より小さい第２の角度となるように設けられており、
前記第２の角度は、前記弾性保持手段の付勢力による保持に伴う遊びが許容できなくなる第１の限界角度以下の角度である請求項１に記載の二つ折り式携帯電話。
【請求項３】
前記固定機構は、弾性力により前記開き角が一定となるよう保持する弾性保持手段を備え、
前記開き角は、前記弾性保持手段による保持が可能な第２の限界角度以下である請求項１に記載の二つ折り式携帯電話。
【請求項４】
前記一時固定により保たれる前記開き角は、実質上１６６°以上、１７２°以下である請求項１に記載の二つ折り式携帯電話。
【請求項５】
前記第１筐体の前記内側主面と前記第２筐体の前記内側主面とのなす角が実質上１８０°となるよう開いたとき、前記第１筐体の前記内側主面と、前記第２筐体の前記内側主面とは段差を有しており、
前記第１筐体の前記内側主面は、前記第２筐体の前記内側主面より筐体の内側方向へ後退している請求項１に記載の二つ折り式携帯電話。
【請求項６】
前記第１筐体の前記内側主面と、その内側主面と対向する外側主面との間の平均距離は実質上７ｍｍであって、前記第２筐体の前記内側主面と、その内側主面と対向する外側主面との間の平均距離は実質上９．８ｍｍである請求項１に記載の二つ折り式携帯電話。
【請求項７】
アンテナと、内蔵されたアース地板と、その内側主面に設けられたヒンジブラケットとを有する第１筐体と、
少なくともその端部に渡って設けられた、前記ヒンジブラケットに対応するヒンジアームと、内側主面に設けられた、情報を表示する表示画面と、前記表示画面を挟んで前記ヒンジアームと相対するスピーカの音声出力面とを有する第２筐体と、
前記ヒンジブラケットおよび前記ヒンジアームを一時固定する固定機構とを備え、
前記第１筐体と前記第２筐体とが、それぞれの前記内側主面が向かい合って閉じられるように接続され、
前記スピーカの音声信号の指向性のもっとも強い方向と直交する仮想面は、前記表示画面を含む面に対して傾斜しており、
前記傾斜の方向は、前記スピーカの音声信号の指向性のもっとも強い方向と、前記表示画面とが鈍角をなすような方向である二つ折り式携帯電話。
【請求項８】
アンテナと、内蔵されたアース地板と、内側主面に設けられた、情報を表示する表示画面と、スピーカの音声出力面とを有する筐体とを備え、前記スピーカの音声信号の指向性のもっとも強い方向と直交する仮想面は、前記表示画面を含む面に対して傾斜しており、
前記傾斜の方向は、前記スピーカの音声信号の指向性のもっとも強い方向と、前記表示画面とが鈍角をなすような方向である携帯電話。
【請求項９】
前記仮想面は、前記第１筐体の前記内側主面における前記音声出力面として設けられている請求項７に記載の二つ折り式携帯電話。
【請求項１０】
内蔵されたアース地板と、その内側主面に設けられたヒンジブラケットとを有する第１筐体と、
少なくともその端部に渡って設けられた、前記ヒンジブラケットに対応するヒンジアームと、内側主面に設けられた、情報を表示する表示画面と、前記表示画面を挟んで前記ヒンジアームと相対するスピーカの音声出力面と、アンテナとを有する第２筐体と、
前記ヒンジブラケットおよび前記ヒンジアームを一時固定する固定機構とを備え、
前記第１筐体と前記第２筐体とが、それぞれの前記内側主面が向かい合って閉じられるように接続され、
前記固定機構の一時固定によって、前記スピーカの音声信号の指向性のもっとも強い方向と直交する仮想面の内面と、前記アース地板を含む面の内面とのなす開き角が実質上１６５°よりも大きい状態で保持され、
前記仮想面は、前記スピーカの音声出力面および情報を表示する表示画面を含む面と実質同一または平行である二つ折り式携帯電話。
【請求項１１】
その内側主面に設けられたヒンジブラケットと、アンテナとを有する第１筐体と、
少なくともその端部に渡って設けられた、前記ヒンジブラケットに対応するヒンジアームと、内側主面に設けられた、情報を表示する表示画面と、前記表示画面を挟んで前記ヒンジアームと相対するスピーカの音声出力面と、内蔵されたアース地板とを有する第２筐体と、
前記ヒンジブラケットおよび前記ヒンジアームを一時固定する固定機構とを備え、
前記第１筐体と前記第２筐体とが、それぞれの前記内側主面が向かい合って閉じられるように接続され、
前記固定機構の一時固定によって、前記スピーカの音声信号の指向性のもっとも強い方向と直交する仮想面の内面と、前記アース地板を含む面の内面とのなす開き角が実質上１６５°よりも大きい状態で保持され、
前記仮想面は、前記スピーカの音声出力面および情報を表示する表示画面を含む面と実質同一または平行である二つ折り式携帯電話。
【発明の詳細な説明】
【０００１】
【発明の属する技術分野】
本発明は、二つ折り式携帯電話等の携帯電話に関する。
【０００２】
【従来の技術】
近年、携帯電話の普及は著しく、電話としての通話機能のみならず、ウェブサイトへのアクセスや電子メールの利用といった、インターネットに対応した情報通信機能を備えた情報端末として、広く用いられている。
【０００３】
このような、情報端末として利用可能な携帯電話は、情報を画像として表示する表示画面を必要とする。大きな表示画面を確保し、かつ携帯性を維持するために、現在の携帯電話は、表示画面と入力を行うキーとを、折り畳み可能に結合した二つの筐体に別々に設けるようにした、二つ折り式が主流となっている。
【０００４】
図１２（ａ）〜（ｃ）および１３（ａ）（ｂ）に従来の二つ折り式携帯電話を示す（例えば、特許文献１を参照）。図に示すように、携帯電話１３００は、その内側主面にテンキー他の入力部１３１１が設けられた第１筐体１３１０と、その内側主面に表示画面１３２１が設けられた第２筐体１３２０とを備えている。
【０００５】
第１筐体１３１０の内側主面には、入力部１３１１の他に、音声を入力するためのマイクが配置された音声入力面１３１２が設けられており、さらに内側主面上には、入力部１３１１をはさんで音声入力面１３１２と相対する位置に、第２筐体と回転可能に接続するためのヒンジブラケット１３１３ａおよび１３１３ｂが設けられている。また、第１筐体１３１０の外側主面寄りには、伸縮可能なヘリカルアンテナ１３１４が設けられており、さらに第１筐体１３１０には、携帯電話の内部回路の各部を接地するためのアース地板１３１５が内蔵されている。アース地板１３１５の内蔵位置は、第１筐体１３１０の厚みの実質半分となる位置である。
【０００６】
また、第２筐体１３２０の内側主面には、表示画面１３２１の他に、音声を出力するためのスピーカが配置された音声出力面１３２２が設けられており、さらに第２筐体の端部であって、表示画面１３２１をはさんで音声出力面１３２２と相対する端部の位置には、第２筐体１３２０を第１筐体１３１０と回転可能に接続するためのヒンジアーム１３２３が設けられている。
【０００７】
各図に示すように、第１筐体１３１０および第２筐体１３２０は、ヒンジブラケット１３１３ａおよび１３１３ｂの間にヒンジアーム１３２３が嵌合することにより結合され、図中矢印の方向に回転可動する。このとき、ヒンジアームが設けられた第１筐体１３１０の回転は、所定角まで回転すると、回転第１筐体１３１０の端部に設けたストッパ１３１６によって停止される。
【０００８】
以上のような二つ折り式携帯電話１３００は、図１３（ａ）（ｂ）に示すように、使用しないときは、両筐体の内側主面が向かい合うように折り畳むことができ、携帯性を高めるとともに、大きな表示画面を確保することが可能となっている。
【０００９】
なお、図示していないが、ヒンジブラケット１３１３ａ、１３１３ｂおよびヒンジアーム１３２３内にはバネ等を利用した付勢力により、第１筐体１３１０と第２筐体１３２０との開き角を、特定の角にて保持する保持手段が設けられており、特定の角は、図１３（ａ）に示す折り畳み状態、図１２（ａ）に示す使用状態等があげられる。
【００１０】
このような二つ折り式携帯電話は、さらなる携帯性の向上を目指して、薄型化、小型化が進んでいる。
【００１１】
【特許文献１】
特許第２８２１３３３号公報
【００１２】
【発明が解決しようとする課題】
しかしながら、以上のような二つ折り式携帯電話においては、以下のような課題があった。
【００１３】
携帯電話の使用時、利用者は音声出力面を耳側に、音声入力面を口側にくるよう、携帯電話を頭部に近づけて通話を行う。ここで図１４（ａ）は、二つ折り式携帯電話の使用時における各部と利用者の頭部との位置関係を模式的に示す図である。
【００１４】
図１４（ａ）に示すように、二つ折り式携帯電話１３００を頭部１４００に近づけると、第１筐体１３１０および第２筐体１３２０に設けられた各部もまた、頭部１４００に接近する。各部の内、アース地板１３１５およびヘリカルアンテナ１３１４の先端と頭部１４００との位置は、二つ折り式携帯電話の利得に大きな影響を与える。
【００１５】
図１４（ａ）において、距離Ａはヘリカルアンテナ１３１４の先端から頭部１４００の表面までの距離を、距離Ｂは第１筐体内のアース地板１３１５から頭部１４００の表面までの距離を、距離Ｃは第２筐体の平均的厚みを、距離Ｄは第１筐体の平均的厚みを、それぞれ示す。なお、第１筐体１３１０と第２筐体とのなす開き角は、従来例１、従来例２ともに１６５°となっており、したがって、図中に示される、第１筐体１３１０の第２筐体１３２０に対する俯角ａは１５°となる。また、音声出力面１３２２から伸びる矢印は、音声出力面１３２２から出力される音声信号の指向性の、もっとも強い方向を示す。
【００１６】
次に、図１４（ｂ）に、二つ折り式携帯電話の筐体の厚みと、アース地板１３１５およびヘリカルアンテナ１３１４をもっとも短くしたときの位相中心Ｃｐと頭部１４００との距離と、利得損失との関係を表として示す。
【００１７】
従来例２は従来例１に対して第１筐体１３１０、第２筐体１３２０のいずれとも、厚みがより小さくなっており、ヘリカルアンテナ１３１４の先端から頭部１４００の表面までの距離Ａも、アース地板１３１５から頭部１４００の表面までの距離Ｂも、従来例２のほうが従来例１より短くなっている。すなわち、従来例より薄い筐体を有する従来例２のほうが、筐体に内蔵されたアース地板およびアンテナの先端が、頭部とより接近している。
【００１８】
このとき、携帯電話においてはアンテナが、人体に近づくと送受信時の利得損失が大きくなってしまうという問題があった。
【００１９】
図１４（ｂ）に示す例では、従来例２は、従来例１を基準とした場合、ヘリカルアンテナ１３１４に起因する利得損失αと、アース地板１３１５に起因する利得損失βとを併せて、合計約−２．０ｄＢの利得損失を生じていることとなる。すなわち、筐体の薄型化が、受信利得の低下を引き起こすことになっていた。
【００２０】
本発明は、上記の課題に鑑みてなされたものであり、筐体を小型化、薄型化しても受信時の利得の減衰を軽減することが可能な二つ折り式携帯電話を提供することを目的とする。
【００２１】
【課題を解決するための手段】
上記の目的を達成するために、第１の本発明は、アンテナと、内蔵されたアース地板と、その内側主面に設けられたヒンジブラケットとを有する第１筐体と、少なくともその端部に渡って設けられた、前記ヒンジブラケットに対応するヒンジアームと、内側主面に設けられた、情報を表示する表示画面と、前記表示画面を挟んで前記ヒンジアームと相対するスピーカの音声出力面とを有する第２筐体と、
前記ヒンジブラケットおよび前記ヒンジアームを一時固定する固定機構とを備え、
前記第１筐体と前記第２筐体とが、それぞれの前記内側主面が向かい合って閉じられるように接続され、
前記固定機構の一時固定によって、前記スピーカの音声信号の指向性のもっとも強い方向と直交する仮想面の内面と、前記アース地板を含む面の内面とのなす開き角が実質上１６５°よりも大きい状態で保持され、
前記仮想面は、前記スピーカの音声出力面および情報を表示する表示画面を含む面と実質同一または平行である二つ折り式携帯電話である。
【００２２】
また、第２の本発明は、前記固定機構は、前記第１筐体および／または前記第２筐体に設けられたストッパと、弾性力により前記開き角が一定となるよう保持する弾性保持手段とを備え、
前記弾性保持手段は、前記開き角が、所定の第１の角度に向かう付勢力を与え、
前記ストッパは、前記開き角が、前記第１の角度より小さい第２の角度となるように設けられており、
前記第２の角度は、前記弾性保持手段の付勢力による保持に伴う遊びが許容できなくなる第１の限界角度以下の角度である第１の本発明の二つ折り式携帯電話である。
【００２３】
また、第３の本発明は、前記固定機構は、弾性力により前記開き角が一定となるよう保持する弾性保持手段を備え、
前記開き角は、前記弾性保持手段による保持が可能な第２の限界角度以下である第１の本発明の二つ折り式携帯電話である。
【００２４】
また、第４の本発明は、前記一時固定により保たれる前記開き角は、実質上１６６°以上、１７２°以下である第１の本発明の二つ折り式携帯電話である。
【００２５】
また、第５の本発明は、前記第１筐体の前記内側主面と前記第２筐体の前記内側主面とのなす角が実質上１８０°となるよう開いたとき、前記第１筐体の前記内側主面と、前記第２筐体の前記内側主面とは段差を有しており、
前記第１筐体の前記内側主面は、前記第２筐体の前記内側主面より筐体の内側方向へ後退している第１の本発明の二つ折り式携帯電話である。
【００２６】
また、第６の本発明は、前記第１筐体の前記内側主面と、その内側主面と対向する外側主面との間の平均距離は実質上７ｍｍであって、前記第２筐体の前記内側主面と、その内側主面と対向する外側主面との間の平均距離は実質上９．８ｍｍである第１の本発明の二つ折り式携帯電話である。
【００２７】
また、第７の本発明は、アンテナと、内蔵されたアース地板と、その内側主面に設けられたヒンジブラケットとを有する第１筐体と、
少なくともその端部に渡って設けられた、前記ヒンジブラケットに対応するヒンジアームと、内側主面に設けられた、情報を表示する表示画面と、前記表示画面を挟んで前記ヒンジアームと相対するスピーカの音声出力面とを有する第２筐体と、
前記ヒンジブラケットおよび前記ヒンジアームを一時固定する固定機構とを備え、
前記第１筐体と前記第２筐体とが、それぞれの前記内側主面が向かい合って閉じられるように接続され、
前記スピーカの音声信号の指向性のもっとも強い方向と直交する仮想面は、前記表示画面を含む面に対して傾斜しており、
前記傾斜の方向は、前記スピーカの音声信号の指向性のもっとも強い方向と、前記表示画面とが鈍角をなすような方向である二つ折り式携帯電話である。
【００２８】
また、第８の本発明は、アンテナと、内蔵されたアース地板と、内側主面に設けられた、情報を表示する表示画面と、スピーカの音声出力面とを有する筐体とを備え、
前記スピーカの音声信号の指向性のもっとも強い方向と直交する仮想面は、前記表示画面を含む面に対して傾斜しており、
前記傾斜の方向は、前記スピーカの音声信号の指向性のもっとも強い方向と、前記表示画面とが鈍角をなすような方向である携帯電話である。
【００２９】
また、第９の本発明は、前記仮想面は、前記第１筐体の前記内側主面における前記音声出力面として設けられている第７の本発明の二つ折り式携帯電話である。
【００３０】
また、第１０の本発明は、内蔵されたアース地板と、その内側主面に設けられたヒンジブラケットとを有する第１筐体と、
少なくともその端部に渡って設けられた、前記ヒンジブラケットに対応するヒンジアームと、内側主面に設けられた、情報を表示する表示画面と、前記表示画面を挟んで前記ヒンジアームと相対するスピーカの音声出力面と、アンテナとを有する第２筐体と、
前記ヒンジブラケットおよび前記ヒンジアームを一時固定する固定機構とを備え、
前記第１筐体と前記第２筐体とが、それぞれの前記内側主面が向かい合って閉じられるように接続され、
前記固定機構の一時固定によって、前記スピーカの音声信号の指向性のもっとも強い方向と直交する仮想面の内面と、前記アース地板を含む面の内面とのなす開き角が実質上１６５°よりも大きい状態で保持され、
前記仮想面は、前記スピーカの音声出力面および情報を表示する表示画面を含む面と実質同一または平行である二つ折り式携帯電話である。
【００３１】
また、第１１の本発明は、その内側主面に設けられたヒンジブラケットと、アンテナとを有する第１筐体と、
少なくともその端部に渡って設けられた、前記ヒンジブラケットに対応するヒンジアームと、内側主面に設けられた、情報を表示する表示画面と、前記表示画面を挟んで前記ヒンジアームと相対するスピーカの音声出力面と、内蔵されたアース地板とを有する第２筐体と、
前記ヒンジブラケットおよび前記ヒンジアームを一時固定する固定機構とを備え、
前記第１筐体と前記第２筐体とが、それぞれの前記内側主面が向かい合って閉じられるように接続され、
前記固定機構の一時固定によって、前記スピーカの音声信号の指向性のもっとも強い方向と直交する仮想面の内面と、前記アース地板を含む面の内面とのなす開き角が実質上１６５°よりも大きい状態で保持され、
前記仮想面は、前記スピーカの音声出力面および情報を表示する表示画面を含む面と実質同一または平行である二つ折り式携帯電話である。
【００３２】
【発明の実施の形態】
以下、本発明の実施の形態を、図面を参照して説明する。
【００３３】
（実施の形態１）
図１（ａ）〜（ｃ）および２（ａ）（ｂ）は、本発明の実施の形態１による二つ折り式携帯電話の構成図である。図に示すように、二つ折り式携帯電話１００の構成は、基本的には図１２，１３に示す従来例と同様であって、その内側主面にテンキー他の入力部１１１が設けられた第１筐体１１０と、その内側主面に表示画面１２１が設けられた第２筐体１２０とを備えている。
【００３４】
第１筐体１１０の内側主面は、入力部１１１の他に、音声を入力するためのマイクが配置された音声入力面１１２が設けられており、さらに内側主面上には、入力部１１１をはさんで音声入力面１１２と相対する位置に、第２筐体と回転可能に接続するためのヒンジブラケット１１３ａおよび１１３ｂが設けられている。また、第１筐体の外側主面寄りには、伸縮可能なヘリカルアンテナ１１４が設けられており、さらに第１筐体には、携帯電話の内部回路の各部を接地するためのアース地板１１５が内蔵されている。アース地板１１５の内蔵位置は、第１筐体の厚みの実質半分となる位置である。
【００３５】
また、第２筐体１２０の内側主面は、表示画面１２１の他に、音声を出力するためのスピーカが配置された音声出力面１２２が設けられており、さらに第２筐体の端部であって、表示画面１２１をはさんで音声出力面１２２と相対する端部の位置には、第１筐体と回転可能に接続するためのヒンジアーム１２３が設けられている。
【００３６】
各図に示すように、第１筐体１１０および第２筐体１２０は、ヒンジブラケット１１３ａおよび１１３ｂの間にヒンジアーム１２３が嵌合することにより結合され、図中矢印の方向に回転可動する。なお、ヒンジブラケット１１３ａおよび１１３ｂは、ヒンジアーム１２３の両端に設けるようにしたが、ヒンジアーム１２３を二分またはそれ以上に分割して、それら分割されたヒンジアームの間に設けるようにしてもよい。ただし、開き角を保持するためのヒンジの強度という点からは、図示するような構造としたほうが望ましい。
【００３７】
このとき、ヒンジアームが設けられた第１筐体１１０の回転は、所定角まで回転すると、第１筐体１１０の端部に設けたストッパ１１６によって停止される。また、図２（ｃ）に示すように、ストッパ１１６を省略したものと仮定して、第１筐体１１０と第２筐体とのなす開き角を１８０°とした場合、第１筐体１１０の内側主面と第２筐体１２０の内側主面とは、段差ｄを持つようにし、この段差ｄだけ、第１筐体の内側主面のほうが、第２筐体１２０の内側主面より筐体の内側方向へ後退しているような構成を有する。
【００３８】
二つ折り式携帯電話１００は、図２（ａ）（ｂ）に示すように、使用しないときは、両筐体の内側主面が向かい合うように折り畳むことができ、携帯性を高めるとともに、第２筐体の内側主面の大半を利用した大きな表示画面を確保することが可能となっている。
【００３９】
以上のような構成を有する本実施の形態の二つ折り式携帯電話は、第１筐体１１０と第２筐体１２０との開き角を、従来例よりも大きくとるようにしたという特徴を有する。以下、その効果について説明を行う。
【００４０】
図３（ａ）は、二つ折り式携帯電話の使用時における各部と利用者の頭部との位置関係を模式的に示す図であって、距離や寸法を表す各記号の対応は図１４（ａ）に示す従来例と同様なので、詳細な説明は省略する。ただし、図３（ａ）に示す、第１筐体１１０と第２筐体とのなす開き角は、本実施の形態は実質上１６８°となっており、したがって、図中に示される、第１筐体１１０の、第２筐体１２０に対する俯角ａは実質上１２°となる。
【００４１】
次に、図３（ｂ）に、二つ折り式携帯電話の筐体の厚みと、アース地板１１５および、もっとも長さを短くした場合のヘリカルアンテナ１１４の先端と頭部３００とのそれぞれの距離と、利得損失との関係を、本実施の形態と、図１４（ｂ）の従来例２との比較表として示す。
【００４２】
表に示すとおり、実施の形態１と従来例２は同一寸法の筐体を有するので、距離Ｃ、距離Ｄは同一となるが、第１筐体１１０と第２筐体１２０との開き角は、本実施の形態のほうが実質上３°大きいため、距離Ａは従来例２よりも小さくなるが、距離Ｂは従来例２よりも大きくなる。
【００４３】
したがって、表に示すように、ヘリカルアンテナ１１４の先端から頭部３００の表面までの距離Ａに起因する利得損失αはわずかに増大することになるが、アース地板１１５から頭部３００の表面までの距離Ｂに起因する利得損失βの低減が大きくなり、利得損失βの増大分を十分に補償するため、全体として利得損失を低減することができる。
【００４４】
一方、第１筐体１１０と第２筐体との開き角をさらに大きくすると、距離Ａがさらに小さくなり、距離Ａに起因する利得損失αはさらに増大するのに対し、距離Ｂの増大に伴う利得損失αの低減量は飽和に近づくため、全体として利得損失は逆に増大してしまう。したがって、距離Ａと距離Ｂとの関係が、最適となるような開き角にすることが望ましい。
【００４５】
ここで、図１５に、第１筐体１１０と第２筐体１２０との開き角と、ヘリカルアンテナ１１４およびアース地板１１５のそれぞれとの受信利得への影響との関係をグラフを用いて詳細に示す。図１５の折れ線Ａに示すように、第１筐体１１０と第２筐体１２０との開き角が大きくなると、アンテナ単体は頭部３００に接近する方向にのみ移動するため、アンテナの利得は減少する。その減少の傾きは、実質上１６８°より小さい開きでは１°あたり−０．３ｄＢ、実質上１６８°〜１７０°では１°あたり−０．５ｄＢ、実質上１７０°〜１７２°では１°あたり−０．７ｄＢ、実質上１７２°より大きな開き角では１°あたり−１．０ｄＢと、開き角が大きくなるにつれ、その減少の傾きも大きくなる。
【００４６】
一方、折れ線Ｂに示すように、アース地板１１５は、開き角が従来例と同様１６５°前後にある場合、そこからは角度が大きくなるにつれて、アンテナの利得は大きくなり、開き角が実質上１６８°になるまで単調増加の傾き（１°あたり＋１．０ｄＢ）を与える。さらに１６８°〜１７０°までは増加傾向を維持するがその傾きは緩やかになり（１°あたり＋０．５ｄＢ）、実質上１７０°〜１７２°ではさらに緩やかな傾き（１°あたり＋０．２ｄＢ）でアンテナ利得を増加させ、実質上１７２°以上の開き角になるとで飽和状態（傾きは０）になる。
【００４７】
以上のことを綜合すると、第１筐体１１０と第２筐体１２０との開き角を、従来から知られる実質上１６５°より大きくしていくと、アンテナが頭部３００に接近することに起因する利得の減衰が、アース地板１１５が頭部３００から離れることに起因する利得の増加により補われるため、実質上開き角１６８°までは全体の利得を単調増加させることがわかる。さらに少なくとも実質上１７０°まではピークを保つことができる。
【００４８】
したがって、第１筐体１１０と第２筐体１２０との開き角を、従来例より大きくとり、理想的には１６８°〜１７０°、実質的には少なくとも１６６°〜１７２°の範囲を最適角とすることにより、アンテナ利得を十分に挙げられることがでいる。
【００４９】
次に、第１筐体１１０と第２筐体１２０との開き角を、従来例より大きく保つための仕組みについて説明を行う。
【００５０】
本実施の形態においても、従来例と同様、ヒンジブラケット１１３ａおよび１１３ｂおよびヒンジアーム１２３内にはバネ等を利用した付勢力により、第１筐体１１０と第２筐体１２０との開き角を、折り畳み状態、使用状態などの特定の角にて保持する弾性保持手段が設けられている。
【００５１】
ここで図４（ａ）に、弾性保持手段の構成の一例を模式的に示す。弾性保持手段は、ヒンジブラケット１１３ａまたは１１３ｂ内に固定されたバネ部と、ヒンジアーム１２３内に固定された支柱部とから構成される。バネ部は所定長を有する中空のつるまきバネ４０１、およびつるまきバネ４０１の両端に接続された、中空の摺動部材４０２ａおよび４０２ｂを有し、その中空部分に支柱部の支柱本体４１１を内蔵している。なお、図においては、説明をわかりやすくするため、模式的に支柱本体４１１を一部切断して示した。
【００５２】
支柱部は、バネ部がはまりこんだ支柱本体４１１と、支柱本体４１１の両端に設けられた端部部材４１２ａおよび４１２ｂとを有する。つるまきバネ４０１はその長さが大きくなる方向に弾性力が働くため、摺動部材４０２ａおよび４０２ｂは互いに離れる方向（図４（ａ）中の各矢印）に付勢力が与えられ、端部部材４１２ａは摺動部材４０２ａと、端部部材４１２ｂは摺動部材４０２ｂとそれぞれ当接する。したがって、二つ折り式携帯電話１００の第１筐体１１０と第２筐体１２０との開閉動作を行うと、第１筐体１１０に固定されたバネ部は、支柱本体４１１の軸周りを回転する。
【００５３】
また、摺動部材４０２ａおよび端部部材４１２ａは、対向する面に、互いに対応する所定の凹凸形状がそれぞれ形成されている。図４（ａ）に摺動部材４０２ａの形状を、図４（ｂ）に端部部材４１２ａの形状をそれぞれ示す。摺動部材４０２ａはその主面に凸部４０３を、端部部材４１２ａはその主面に、凸部４０３に対応した凹部４１３をそれぞれ有する。
【００５４】
図４（ｃ）に示すように、第１筐体１１０と第２筐体との開閉動作が行われている間、摺動部材４０２ａは、凸部４０３が端部部材４１２ａの主面と接しながら、主軸本体４１１周りを回転することになる。端部部材４１２ａがある程度まで回転すると、凸部４０３と凹部４１３とが対向することになり、図４（ｄ）に示すように、つるまきバネ４０１の付勢力によって、凹部４１３に凸部４０３が嵌りこみ、バネ部と支柱部とは互いに固定される。この固定位置近傍が、第１筐体１１０と第２筐体１２０との開き角（本発明の所定の第１の角度に相当する）となる。ただし、凸部４０３および凹部４１３の精度は厳密ではなく、いわゆる遊びを持たせるようにしており、凸部４０３と凹部４２３が嵌った状態でも、開き角には裕度が生じる。
【００５５】
これは、弾性保持手段のみの保持力では、第１筐体１１０と第２筐体１２０との開き角を一時固定することはできないことを意味する。そこで、第１筐体１１０のストッパ１１６を用いて、弾性保持手段の付勢力とストッパ１１６からの抗力とで、開き角を一時固定するようにする。
【００５６】
ここで図５は、二つ折り式携帯電話１００の第１筐体１１０と第２筐体１２０との開き角を一時固定するための条件を説明するための図である。
【００５７】
図に示すように、第１筐体１１０と第２筐体１２０とを広げると、バネ部の摺動部材４０２ａの凸部４０３は、凹部４１３に嵌り込む方向に、端部部材４１２ａの主面上を移動し、つるまきバネ４０１からの付勢力により、凹部４１３のより奥へ嵌り込む方向に力が与えられる。したがって、凹部４１３上の斜面であるエリアａに凸部４０３があるときは、凸部４０３には、第１筐体１１０と第２筐体１２０との開き角θが大きくなる方向に力が与えられる。また、凹部４１３の底部であるエリアｂに凸部４０３があるときは、凹部４１３に固定される方向に力が与えられる。さらに凹部４１３上の斜面であるエリアｃに凸部４０３があるときは、第１筐体１１０と第２筐体１２０との開き角θが小さくなる方向に力が与えられる。
【００５８】
このとき、図６（ａ）に示すように、凸部４０３がエリアａにあるときの第１筐体１１０と第２筐体１２０との開き角を第１の限界角度、すなわち、弾性保持手段の付勢力による保持に伴う遊びが許容できなくなる角度として、これに対応するようにストッパ１１６を設けることによって、第１筐体は、バネ部の付勢力と、ストッパ１１６からうける、付勢力の反作用としての抗力によって安定して固定されることになる。
【００５９】
再び図５に示すように、付勢力が第１筐体１１０と第２筐体１２０との開き角θが大きくなる方向に作用するエリアａは、所定の幅を有するが、従来例は、人間工学的な理由から、図中（ア）に示すようにθ＝実質上１６５°となるようにストッパ１１６を設けていた。
【００６０】
これに対し、本実施の形態は、第１筐体１１０に内蔵されるアース地板１１５を利用者の頭部から遠ざけて、図１５に示すアンテナとアース地板との最適条件を得るために、第１の限界角度に定めたθがより大きくなるような位置にストッパ１１６を設けるようにし、一例として図中（イ）に示すようにθ＝１６８°に定め、図３に示すような結果を得ている。
【００６１】
なお、開き角θは、機械的には凸部４０３の位置が図５のエリアａ内にある限り大きくすることができるが、弾性保持手段による保持が可能な第２の限界角度を越えることはできない。そこで、上記第２の限界角度としては、最適なアンテナ利得を与える限界の開き角となる実質上１７０°、もしくは裕度を考慮して実質上１７２°程度の角をθに設定することが最も望ましい。
【００６２】
また、ヘリカルアンテナ１１４の位相中心Ｃｐがヒンジの回転中心より上に来るほどθを大きくとりすぎると、位相中心Ｃｐが表示画面１２１に接近するようになり、アンテナからの輻射が画面表示に悪影響を与えるおそれがある。
【００６３】
また、特にθが実質上１８０°を越えると、二つ折り式携帯電話は全体として反り返る格好となり、扱いにくい等の不具合があるため、そのような角にすることは望ましくない。
【００６４】
なお、上記の説明において、開き角θは、本発明のスピーカの音声信号の指向性のもっとも強い方向と直交する仮想面の内面と、アース地板を含む面の内面とのなす開き角に相当する。
【００６５】
また、本実施の形態は図１０（ａ）〜（ｃ）に示す構成としてもよい。
【００６６】
図１０（ａ）〜（ｃ）は、本発明の実施の形態１による二つ折り式携帯電話の他の例の構成図である。図に示すように、二つ折り式携帯電話１０００の構成において、図１と同一部または相当部には同一符号を付し、詳細な説明は省略する。また、第１筐体１１０の内側主面の、アース地板１１５に対して反対側に位置する外側主面上に、ヘリカルアンテナ１１４の一部が、ある程度盛り上がってなる盛り上がり部１０１０を有している。この盛り上がり部１０１０は、ヘリカルアンテナ１１４を従来例より外側主面よりに設けたことにより形成されたものである。
【００６７】
このような構成を有する二つ折り式携帯電話は、第１筐体１１０と第２筐体１２０との開き角は、図１に示す構成と同一であるが、盛り上がり部１０１０の分だけヘリカルアンテナ１１４が外側主面よりに設けられたという点において異なる。
【００６８】
図１１（ａ）は、本実施の形態の二つ折り式携帯電話の他の構成の使用時における各部と利用者の頭部との位置関係を模式的に示す図であって、距離や寸法を表す各記号の対応は図１４（ａ）に示す従来例と同様なので、詳細な説明は省略する。また、第１筐体１１０と第２筐体とのなす開き角は実質上１６８°であって、図中に示される、第１筐体１１０の、第２筐体１２０に対する俯角ａは実質上１２°となる。
【００６９】
次に、図１１（ｂ）に、二つ折り式携帯電話の筐体の厚みと、アース地板１１５およびヘリカルアンテナ１１４の先端と頭部３００との距離と、利得損失との関係を、図１の構成と、図１４（ｂ）の従来例２との比較表として示す。
【００７０】
表に示すとおり、本実施の形態と従来例２は実質的に同一寸法の筐体を有するので、距離Ｃ、距離Ｄは同一となるが、第１筐体１１０と第２筐体とのなす開き角は、実施の形態１と同様１６８°であり、かつ図１１（ａ）に示すように、ヘリカルアンテナ１１４の先端と頭部３００との距離Ａが、盛り上がり部１０１０の形成により従来例２および実施の形態１よりも大きくなる。なお、表においては、距離Ａを、実施の形態１より実質上０．４ｍｍ大きくなるようにとった例を示した。
【００７１】
したがって、実施の形態１に比してヘリカルアンテナ１１４から頭部３００の表面までの距離Ａに起因する利得損失αをさらに低減することができ、全体として利得損失を低減することができる。
【００７２】
なお、従来例においても、例えばアンテナを含む筐体において、アンテナをその筐体の表面から大きく盛り上がるように配置することにより、アンテナと利用者の人体との間の距離を少しでも大きくとることは知られていた。
【００７３】
しかしながら、筐体の薄型化に伴う利得損失を軽減するために、筐体の表面からアンテナが大きく盛り上がるような配置を行った場合は、例えば筐体を地面や机上に載置した場合、筐体はその一部とアンテナとによって、不安定な状態で載置されてしまったり、利用者が手で握ったときに不快感を与える恐れがある。
【００７４】
そこで、これに対し、盛り上がり部１０１０の外側主面からの高さは、できる限り小さく取ったほうが、収納時の出し入れの邪魔になったり、利用者に不快感を与えることがない。
【００７５】
以上のように、本実施の形態によれば、従来より筐体同士の開き角を大きくとるようにしたことにより、アンテナを人体に近づける一方でアース地板を頭部から遠ざけて、携帯電話の薄型化に伴うアンテナ利得損失の軽減化の最適条件を得ることができる。
【００７６】
なお、アンテナ１１４の設置場所は、図１に示す場所に限定されず、第２筐体上であって、第１筐体１１０と第２筐体１２０との開き角を大きくしたときに、人体から遠ざかる場所であれば任意の位置でよい。
【００７７】
（実施の形態２）
図７（ａ）〜（ｃ）は、本発明の実施の形態２による二つ折り式携帯電話の構成図である。図に示すように、二つ折り式携帯電話７００の構成において、図１と同一部または相当部には同一符号を付し、詳細な説明は省略する。また、第２筐体１２０の内側主面において、音声出力面１２２を含む一部の面は、表示画面１２１が設けられた面に対し所定の傾斜φで傾斜した傾斜面７０１を形成している。
【００７８】
このような構成を有する本実施の形態の二つ折り式携帯電話は、第１筐体１１０と第２筐体１２０との開き角は、従来例と同一であるが、傾斜面７０１が設けられたという点において異なる。以下、その効果について説明を行う。
【００７９】
図８は、二つ折り式携帯電話の使用時における各部と利用者の頭部との位置関係を模式的に示す図であって、距離や寸法を表す各記号の対応は図１４（ａ）に示す従来例と同様なので、詳細な説明は省略する。また、第１筐体１１０と第２筐体１２０とのなす開き角は、従来例と同様実質上１６５°であって、図中に示される、第１筐体１１０の、第２筐体１２０に対する俯角ａは実質上１５°となる。
【００８０】
さらに、本実施の形態においては、二つ折り式携帯電話７００は、頭部３００の耳の位置と第２筐体１２０の傾斜面７０１とが、実質平行に対向した状態で保持されることになる。従来例においては、第２筐体１２０は表示画面１２１および音声出力面１２２は一様な内側主面に設けられているため、頭部３００の耳の位置と第２筐体１２０の内側主面全体とが実質平行に対向した状態で保持されていたが（図１４（ａ）を参照）、これらの保持状態は、音声出力面１２２を含む仮想面と頭部３００の耳の位置との位置関係が実質平行に保たれているという点で共通している。
【００８１】
これは以下の理由による。すなわち、利用者は、耳に二つ折り式携帯電話の音声出力面１２２を当てるとき、音声出力面１２２から出力される音声信号の指向性がもっとも強くなる方向に、耳を合わせようとする。この動作は、音声出力面１２２から出力される音声信号を聞き取りやすくするため、無意識に行われる。耳を含む仮想面と音声信号の指向性の方向とは直交し、音声出力面１２２を含む仮想面と音声信号の指向性の方向ともまた直交するため、耳の位置と音声出力面１２２を含む仮想面との位置関係は実質平行に保たれることになる。
【００８２】
したがって、第２筐体１２０において音声出力面１２２を含む仮想面をどのように設けるかによって、二つ折り式携帯電話と頭部との位置関係を調整することができる。図７（ｃ）および図８に示すように、表示画面１２１を含む面と音声出力面１２２が配された傾斜面７０１とは角度φにて傾斜しているため、図８において、二つ折り式携帯電話全体は、傾斜面７０１が設けられた第２筐体１２０の端部を中心に、従来例に比して、図中Ｘ方向に角度φだけ大きく開くことになる。これにより、第１筐体１１０に設けられたヘリカルアンテナ１１４およびアース地板１１５は、利用者の頭部３００から遠ざけることができる。なお、角度φの方向は、音声信号の指向性のもっとも強くなる方向と表示画面１２１とがなす角ψが鈍角になるようにする。
【００８３】
図に示すとおり、実施の形態２と従来例２は実質的に同一寸法の筐体を有するので、距離Ｃ、距離Ｄは同一となるが、図８の図中矢印Ｘに示すように、第２筐体の端部からの開き角が、本実施の形態のほうが角度φだけ大きいため、距離Ａ、距離Ｂは従来例２よりも大きくなる。なお、表において、角度φ＝実質上２．６°とした。
【００８４】
したがって、アース地板１１５から頭部３００の表面までの距離Ｂに起因する利得損失β、およびヘリカルアンテナ１１４の先端から頭部３００の表面までの距離Ａに起因する利得損失αを低減することができ、全体として利得損失を低減することができる。
【００８５】
なお、上記の説明においては、第２筐体１２０の内側主面の、音声出力面１２２を含む一部の面のみを傾斜面として、音声出力面１２２から出力される音声信号の指向性がもっとも強くなる方向と直交する仮想面と一致させるようにしたが、この仮想面は、図９（ａ）〜（ｃ）に示すように、第２筐体１２０の内側主面全面と一致させるようにしてもよい。
【００８６】
なお、上記の実施の形態においては、二つ折り携帯電話を例に説明したが、傾斜面７０１の構成は、図１６に示す携帯電話１６００のように、二つ折り式でないストレート型携帯電話との組み合わせで実施しても良い。なお、図１６において、図１と同一部または相当部には同一符号を付し、詳細な説明は省略する。
【００８７】
また、本実施の形態の傾斜面７０１の構成は、実施の形態１の構成と組み合わせて実施してもよい。
【００８８】
さらに、実施の形態１、２の構成をすべて組み合わせた構成としてもよい。
【００８９】
また、各実施の形態において本発明のアンテナは伸縮自在のヘリカルアンテナとしたが、他の形式のアンテナとしてもよい。一例として、図１７に示す、第１筐体１１０の上部に設けられたループアンテナ１７０を挙げる。
【００９０】
また、実施の形態１において、第１筐体１１０にアンテナ１１４およびアース地板１１５とを備えた構成を示したが、本発明は、図１８に示すように、アース地板１１５を第１筐体に、アンテナ１１４を第２筐体１２０側にそれぞれ備えた構成としてもよい。
【００９１】
この構成の場合でも、第１筐体１１０と第２筐体１２０との開き角を従来例の１６５度より大きくすると、アンテナ１１４は人体に近づくため利得は低下するが、アース地板１１５は人体から遠ざかる分利得が増加するため、全体として利得は向上する。
【００９２】
さらに、図１９に示すように、アンテナ１１４を第１筐体１１０側に、アース地板１１５を第２筐体１２０側にそれぞれ備えた構成としてもよい。ただし、アンテナ１１４はヒンジブラケット１１３ａ側ではなく、音声入力面１１２に近い方に設けられている点が実施の形態１と異なる。
【００９３】
この構成の場合では、第１筐体１１０と第２筐体１２０との開き角を従来例の１６５度より大きくすると、アンテナ１１４は人体から遠ざかるため利得は向上し、アース地板１１５は人体に近づいているために、これもまた利得は増加するため、全体の利得が向上する。このとき、アンテナ１１４の設置場所は、第２筐体上であって、第１筐体１１０と第２筐体１２０との開き角を大きくしたときに、人体から遠ざかる場所であれば任意の位置でよい。
【００９４】
なお、図１５に示したアンテナとアース地板との最適条件は、アンテナ１１４およびアース地板１１５の両方が第１筐体に設けられている場合のものであって、図１８および図１９に示す各構成の条件を拘束するものではない。
【００９５】
また、実施の形態１において、弾性保持手段の構成は図４に示すようなものとしたが、弾性力に基づく付勢力によって開き角を所定の角度に向かわせることができるものであれば、他の構成であってもよい。
【００９６】
【発明の効果】
以上説明したところから明らかなように、本実施の形態によれば、携帯電話の小型化、薄型化に伴う利得損失を軽減することができる。
【図面の簡単な説明】
【図１】（ａ）本発明の実施の形態１における二つ折り式携帯電話の構成図である。
（ｂ）本発明の実施の形態１における二つ折り式携帯電話の構成図である。
（ｃ）本発明の実施の形態１における二つ折り式携帯電話の構成図である。
【図２】（ａ）本発明の実施の形態１における二つ折り式携帯電話の構成図である。
（ｂ）本発明の実施の形態１における二つ折り式携帯電話の構成図である。
（ｃ）本発明の実施の形態１における二つ折り式携帯電話の構成図である。
【図３】（ａ）本発明の実施の形態１における二つ折り式携帯電話の使用時における各部と利用者の頭部との位置関係を模式的に示す図である。
（ｂ）本発明の実施の形態１における二つ折り式携帯電話と従来例との利得損失の比較表を示す図である。
【図４】（ａ）本発明の実施の形態１における二つ折り式携帯電話における弾性保持手段の構成を模式的に示す図である。
（ｂ）本発明の実施の形態１における二つ折り式携帯電話における弾性保持手段の構成を模式的に示す図である。
（ｃ）本発明の実施の形態１における二つ折り式携帯電話における弾性保持手段の構成を模式的に示す図である。
（ｄ）本発明の実施の形態１における二つ折り式携帯電話における弾性保持手段の構成を模式的に示す図である。
【図５】本発明の実施の形態１における二つ折り式携帯電話における弾性保持手段の動作を説明するための図である。
【図６】（ａ）本発明の実施の形態１における二つ折り式携帯電話の筐体の開き角を示す図である。
（ｂ）従来例における二つ折り式携帯電話の筐体の開き角を示す図である。
【図７】（ａ）本発明の実施の形態２における二つ折り式携帯電話の構成図である。
（ｂ）本発明の実施の形態２における二つ折り式携帯電話の構成図である。
（ｃ）本発明の実施の形態２における二つ折り式携帯電話の構成図である。
【図８】本発明の実施の形態２における二つ折り式携帯電話の使用時における各部と利用者の頭部との位置関係を模式的に示す図である。
【図９】（ａ）本発明の実施の形態２における二つ折り式携帯電話の他の構成例を示す図である。
（ｂ）本発明の実施の形態２における二つ折り式携帯電話の他の構成例を示す図である。
（ｃ）本発明の実施の形態２における二つ折り式携帯電話の他の構成例を示す図である。
【図１０】（ａ）本発明の実施の形態１における二つ折り式携帯電話の他の構成例を示す図である。
（ｂ）本発明の実施の形態１における二つ折り式携帯電話の他の構成例を示す図である。
（ｃ）本発明の実施の形態１における二つ折り式携帯電話の他の構成例を示す図である。
【図１１】（ａ）本発明の実施の形態１における二つ折り式携帯電話の他の構成例の使用時における各部と利用者の頭部との位置関係を模式的に示す図である。
（ｂ）本発明の実施の形態１における二つ折り式携帯電話と従来例との利得損失の比較表を示す図である。
【図１２】（ａ）従来の技術による二つ折り式携帯電話の構成図である。
（ｂ）従来の技術による二つ折り式携帯電話の構成図である。
（ｃ）従来の技術による二つ折り式携帯電話の構成図である。
【図１３】（ａ）従来の技術による二つ折り式携帯電話の構成図である。
（ｂ）従来の技術による二つ折り式携帯電話の構成図である。
【図１４】（ａ）従来の技術による二つ折り式携帯電話の使用時における各部と利用者の頭部との位置関係を模式的に示す図である。
（ｂ）従来の技術による二つ折り式携帯電話における利得損失の比較表を示す図である。
【図１５】本発明の実施の形態１における二つ折り式携帯電話における第１筐体と第２筐体との開き角と、アンテナ利得との関係を表すグラフを示す図である。
【図１６】本発明の実施の形態２の他の構成の携帯電話の構成図である。
【図１７】本発明の実施の形態におけるループアンテナの構成を示す図である。
【図１８】本発明の他の構成を示す図である。
【図１９】本発明の他の構成を示す図である。
【符号の説明】
１００　二つ折り式携帯電話
１１０　第１筐体
１１１　入力部
１１２　音声入力面
１１３ａ、１１３ｂ　ヒンジブラケット
１１４　ヘリカルアンテナ
１１５　アース地板
１１６　ストッパ
１２０　第２筐体
１２１　表示画面
１２２　音声出力面
【図１】
2004048719.tif 000003
【図２】
2004048719.tif 000004
【図３】
2004048719.tif 000005
【図４】
2004048719.tif 000006
【図５】
2004048719.tif 000007
【図６】
2004048719.tif 000008
【図７】
2004048719.tif 000009
【図８】
2004048719.tif 000010
【図９】
2004048719.tif 000011
【図１０】
2004048719.tif 000012
【図１１】
2004048719.tif 000013
【図１２】
2004048719.tif 000014
【図１３】
2004048719.tif 000015
【図１４】
2004048719.tif 000016
【図１５】
2004048719.tif 000017
【図１６】
2004048719.tif 000018
【図１７】
2004048719.tif 000019
【図１８】
2004048719.tif 000020
【図１９】
2004048719.tif 000021